(57)【要約】【課題】携帯しやすい把持部で、衣類をコンパクトに持ち運びできると共に、ハンガーとしても使用することができるハンガー兼用衣類携帯用具を提供する。【解決手段】折り畳まれた又は束ねられた衣類を吊り下げるための衣類保持手段と、前記衣類保持手段を把持し運搬するための把持手段と、前記衣類保持手段を吊り下げるためのフック手段と、を備え、前記衣類保持手段は、前記把持手段及び前記フック手段を取り付けるための上側部と、衣類を吊り下げるための下側部と、前記上側部と下側部をその一端側で結合する片側部と、から構成される。【選択図】図１
0003137009.tif 000002
【実用新案登録請求の範囲】
【請求項１】
折り畳まれた又は束ねられた衣類を吊り下げるための衣類保持手段と、
前記衣類保持手段を把持し運搬するための把持手段と、
前記衣類保持手段を吊り下げるためのフック手段と、を備え、
前記衣類保持手段は、前記把持手段及び前記フック手段を取り付けるための上側部と、衣類を吊り下げるための下側部と、前記上側部と下側部をその一端側で結合する片側部と、から構成されていることを特徴とするハンガー兼用衣類携帯用具。
【請求項２】
前記衣類保持手段を構成する前記上側部、前記片側部及び前記下側部は、略コの字形状を成し、当該片側部の反対側のスペースから衣類を当該衣類保持手段に吊り下げたり取り出したりすることを特徴とする請求項１に記載のハンガー兼用衣類携帯用具。
【請求項３】
前記衣類保持手段を構成する前記上側部、前記片側部及び前記下側部によって形成される形状は、矩形型、円弧型又は湾曲型の略コの字形状を成すことを特徴とする請求項２に記載のハンガー兼用衣類携帯用具。
【請求項４】
前記衣類保持手段を構成する前記下側部の前記スペース側には、吊り下げられた衣類がずり落ちるのを防止するための掛止爪部が設けられていることを特徴とする請求項３に記載のハンガー兼用衣類携帯用具。
【請求項５】
前記把持手段及び前記フック手段は、前記衣類保持手段の前記上側部にチェーン又は紐を介して接続されることを特徴とする請求項１又は２に記載のハンガー兼用衣類携帯用具。
【請求項６】
前記把持手段及び前記フック手段は、前記衣類保持手段の前記上側部に固定的に接続されることを特徴とする請求項１又は２に記載のハンガー兼用衣類携帯用具。
【請求項７】
前記衣類保持手段の前記上側部には、衣類を広げた状態にて吊り下げるためのスライド式又は折り畳み式ハンガーアームが設けられていることを特徴とする請求項１乃至３の何れかの項に記載のハンガー兼用衣類携帯用具。
【請求項８】
前記把持手段が肩掛け用のショルダーベルトであることを特徴とする請求項１乃至３の何れかの項に記載のハンガー兼用衣類携帯用具。
【請求項９】
前記把持手段を外側に引き出すことを可能にする切欠き部を有し、外側に引き出された前記把持手段を除いて全体を覆うカバーと共に使用されることを特徴とする請求項１乃至８に記載のハンガー兼用衣類携帯用具。
【請求項１０】
前記カバーにポケットを設けたことを特徴とする請求項９に記載のハンガー兼用衣類携帯用具。
【考案の詳細な説明】
【技術分野】
【０００１】
本考案は、衣類をコンパクトに持ち運びできると共にハンガーとしても使用することができるハンガー兼用衣類携帯用具に関するものである。
【背景技術】
【０００２】
従来、衣類を持ち運びできるハンガー兼用衣類携帯用具としては、図９に示すようなものが一般的に知られていた。
【０００３】
この従来のハンガー兼用衣類携帯用具は、把持部１０１とこの把持部１０１に収納可能な吊り下げ用フック１０２とを備えるハンガー１００と、このハンガー１００に掛けられた衣類を覆って内部に収容可能な形状を有し、ファスナー２０１とハンガー用開口２０２と把持部用開口２０３を備えるカバー２００とからなる。
【０００４】
この従来のハンガー兼用衣類携帯用具をハンガーとして使用する場合は、図９（ａ）に示すように、衣類（図示を省略）をハンガー１００に掛け、カバー２００をその上から被せた状態で吊り下げ用フック１０２によりクロゼット等に吊り下げる。一方、携帯時には、図９（ｂ）に示すように、ハンガー１００の把持部１０１に吊り下げ用フック１０２を収納し、衣類（図示を省略）とカバー２００を中心〔図９（ａ）の折り畳み位置参照〕から折り畳んで、ハンガー１００の把持部１０１にカバー２００の把持部用開口２０３を引掛け、把持部１０１を持って携帯する。
【考案の開示】
【考案が解決しようとする課題】
【０００５】
しかしながら、上記従来のハンガー兼用衣類携帯用具は、衣類を横方向に二つ折りするだけであるため、衣類の肩幅分の横幅がありコンパクトとは言い難く、携帯する際にかさばるという問題があった。
【０００６】
また、携帯用の把持部分が、ハンガーとして使用する際に衣類の襟首回りにあたる位置に来るため、この把持部の幅を衣類の首回り以上の大きさにすることができなかった。そのため、携帯する際に把持部が小さくて持ち難い上に、手首や腕、鞄等に把持部を引掛けることもできず、長時間の持ち運びが困難であるという問題があった。
【０００７】
本考案は、上記状況に鑑みて、携帯しやすい把持部で、衣類をコンパクトに持ち運びできると共に、ハンガーとしても使用することができるハンガー兼用衣類携帯用具を提供することを目的とする。
【課題を解決するための手段】
【０００８】
上記課題を解決するために、本考案は、折り畳まれた又は束ねられた衣類を吊り下げるための衣類保持手段と、前記衣類保持手段を把持し運搬するための把持手段と、前記衣類保持手段を吊り下げるためのフック手段と、を備え、前記衣類保持手段は、前記把持手段及び前記フック手段を取り付けるための上側部と、衣類を吊り下げるための下側部と、前記上側部と下側部をその一端側で結合する片側部と、から構成されていることを特徴とするハンガー兼用衣類携帯用具を提供するものである。
【０００９】
ここで、本考案のハンガー兼用衣類携帯用具は、前記衣類保持手段を構成する前記上側部、前記片側部及び前記下側部が、略コの字形状を成し、当該片側部の反対側のスペースから衣類を当該衣類保持手段に吊り下げたり取り出したりするように構成するのが好ましい。
【００１０】
また、前記衣類保持手段を構成する前記上側部、前記片側部及び前記下側部によって形成される形状は、矩形型、円弧型又は湾曲型の略コの字形状を成すように構成するのが好ましい。
【００１１】
さらに、前記衣類保持手段を構成する前記下側部の前記スペース側には、吊り下げられた衣類がずり落ちるのを防止するための掛止爪部が設けられるようにしても良い。
【００１２】
また、前記把持手段及び前記フック手段は、前記衣類保持手段の前記上側部にチェーン又は紐を介して接続されるのが好ましい。
【００１３】
さらに、前記把持手段及び前記フック手段は、前記衣類保持手段の前記上側部に固定的に接続されるのが好ましい。
【００１４】
なお、前記衣類保持手段の前記上側部には、衣類を広げた状態にて吊り下げるためのスライド式又は折り畳み式ハンガーアームが設けられるようにする。
【００１５】
また、前記把持手段は肩掛け用のショルダーベルトであっても良い。
【００１６】
さらに、前記把持手段を外側に引き出すことを可能にする切欠き部を有し、外側に引き出された前記把持手段を除いて全体を覆うカバーと共に使用するようにする。
そして、前記カバーにはポケットを設けても良い。
【考案の効果】
【００１７】
本考案のハンガー兼用衣類携帯用具によれば、衣類をコンパクトに収容し持ち運びを容易にすることができる。また、把持部の形状に自由度があるため、長時間携帯する際も持ちやすく、さらに、携帯しない際はハンガーとして使用し、衣類の皺、型崩れを防ぐことができる。
【考案を実施するための最良の形態】
【００１８】
以下、本考案について図面を参照しながら詳細に説明する。
〔第１の実施形態〕
まず、第１の実施形態として、本考案のハンガー兼用衣類携帯用具の基本的な構成について説明する。
図１は本考案の第１の実施形態に係るハンガー兼用衣類携帯用具の全体構成を示す概略図、図２はその使用方法を説明するための模式図であり、図２（ａ）は衣類携帯用具として使用する際、図２（ｂ）はハンガーとして使用する際を示している。
【００１９】
図１に示すように、本考案のハンガー兼用衣類携帯用具は、衣類携帯用具本体１、把持部６、吊り下げ用フック７より構成される。
【００２０】
衣類携帯用具本体１は、把持部６と吊り下げ用フック７が固定される把持部及びフック固定部２と、衣類保持部３と、これら把持部及びフック固定部２と衣類保持部３を繋ぐ側板４から、略コの字形状に構成されている。そして、把持部６と吊り下げ用フック７は、それぞれチェーン８Ａ，８Ｂにより把持部及びフック固定部２に固定されている。また、把持部及びフック固定部２の内部には、把持部及びフック固定部２の左右の側面からスライドして出し入れ可能なハンガーアーム９が設けられている。
【００２１】
また、衣類保持部３の端部には、衣類の抜け落ちを防止するための掛止爪５が設けられている。
【００２２】
ここで、このハンガー兼用衣類携帯用具を衣類携帯用具として使用する際は、図２（ａ）に示すように、衣類携帯用具本体１の把持部及びフック固定部２と衣類保持部３の間隙に、縦方向に二つ折りした衣類１０を掛け、把持部６を引き出して持ち運ぶ。
【００２３】
次いで、このハンガー兼用衣類携帯用具をハンガーとして使用する際は、図２（ｂ）に示すように、衣類携帯用具本体１の把持部及びフック固定部２の左右の側面からハンガーアーム９を引き出し、ここに広げた衣類１０を掛け、吊り下げ用フック７によりポールスタンドやクロゼット等に吊り下げる。
【００２４】
ここで、衣類携帯用具本体１、把持部６及びハンガーアーム９は、プラスチックや木等、軽量の素材から構成されるのが好ましい。チェーン８Ａ，８Ｂも軽量の金属、プラスチック等から構成されるのが好ましい。
【００２５】
また、衣類１０の皺や型崩れを極力避けるために、衣類保持部３にはウレタンやポリエチレン等から成るスポンジ素材等を巻いておくのが望ましい。
【００２６】
以上のように構成することで、簡単な構成で衣類をコンパクトに収容し、かさばらず容易に衣類の持ち運びができる。また、携帯しない際はハンガーアームを引き出すだけでハンガーとして使用することができ、衣類の皺、型崩れを防ぐことができる。
【００２７】
ハンガーアーム９をここでは把持部及びフック固定部２の側面に設けられたスライド式のものとしたが、把持部及びフック固定部２の正面又は背面に蝶番等によりハンガーアームを設け、携帯時には折り畳んで収納しておき、ハンガーとして使用する際には広げることが可能な、折り畳み式のハンガーアームとしても良い。
【００２８】
なお、ここでは図示していないが、持ち運びの際に衣類１０に埃や汚れ等が付かないよう、本考案のハンガー兼用衣類携帯用具にはカバーをかけるのが望ましい。
【００２９】
〔第２の実施形態〕
次に、第２の実施形態として、本考案のハンガー兼用衣類携帯用具にカバーをかける例、及びそのカバーの様々な形状について説明する。
【００３０】
図３は本考案の第２の実施形態に係るハンガー兼用衣類携帯用具にカバーをかけた際の外観を示す模式図である。
この図に示すように、カバー１１は、ハンガー兼用衣類携帯用具を衣類携帯用具として使用する際に、衣類携帯用具本体と衣類全体を覆う形状を有している。着脱はファスナー１２によって行い、さらに、カバー１１上面には把持部及びフック用開口１３が設けられている。また、カバー１１を衣類携帯用具本体１に被せた状態でハンガーアーム９を引き出し、衣類をかけることもできるよう、カバー１１側面にハンガーアーム用開口１４が設けられている。
【００３１】
カバー１１は、軽く丈夫で、埃や汚れ等から衣類を守ることのできる素材であれば、不織布、織布、シート状の合成樹脂等、何を用いても良い。
【００３２】
以上のように構成することで、衣類に埃や汚れ等が付着するのを防ぐことができる。
【００３３】
なお、ここではＴ字型に設けられたファスナーによりカバーを止着する態様としたが、ファスナーの位置等はこれに限定されるものではなく、また、カバーを止着する手段もファスナーに限らず、面ファスナー、ボタン、スナップ、ホック、紐等を用いることができる。
【００３４】
図４は本考案の第２の実施形態に係るハンガー兼用衣類携帯用具の様々なカバーの例を示す模式図である。
まず、図４（ａ）には、上部開口を有する袋状もしくは筒状のカバー２０の上部に帯状の止着部２１を設け、衣類携帯用具本体上部をこの止着部２１に備えられた面ファスナー２２で閉じる構成を示している。なお、面ファスナー２２の代わりに、ボタン、スナップ、ホック等を用いても良い。
【００３５】
次に、図４（ｂ）には、上部開口を有する袋状もしくは筒状のカバー２３の上部に止着用の紐２４を設け、衣類携帯用具本体上部をこの紐２４を結ぶことにより閉じる構成を示している。
【００３６】
次いで図４（ｃ）には、上部及び正面に開口２６を有するカバー２５に、正面を覆うような形状の止着部２７を設け、これをスナップ２８で閉じる構成を示している。なお、ここでもスナップ２８の代わりに面ファスナー、ボタン、ホック、紐等を用いても良い。
【００３７】
次いで図４（ｄ）には、上部及び底部に開口を有するカバー２９で全体を覆う構成を示している。この例ではスナップ等の止着手段は用いず、上から被せて覆うだけの簡単な構成としている。
【００３８】
次いで図４（ｅ）には、上部及び底部に開口を有するカバー３０の側面及び上部にファスナー３１を設け、このファスナー３１により全体を閉じる構成を示している。これは図４（ｄ）に示した形状に近いが、カバー３０の着脱をさらに容易にするためにカバー３０の側面及び上部にファスナー３１が設けられている。
【００３９】
次いで図４（ｆ）には、上部及び底部に開口を有するカバー３２の正面にファスナー３３を設け、このファスナー３３により全体を閉じる構成を示している。これは図４（ｄ）に示した形状に近いが、カバー３２の着脱をさらに容易にするためにカバー正面にファスナー３３が設けられている。
【００４０】
次いで図４（ｇ）には、横長の一枚布状のカバー３４を、予め衣類携帯用具本体の上部に設けられたクリップ３５で止め、さらに片側面を紐３６で結んで閉じる構成を示している。
【００４１】
このように、様々な態様のカバーが考えられる。なお、これらのカバーは、上部をスナップ等でハンガーに固定するようにしても良い。また、これらのカバーにポケットを設けるようにしても良い。
【００４２】
図５は、本考案の第２の実施形態に係るハンガー兼用衣類携帯用具のカバーにポケットを設ける際の外観を示す模式図である。
この図に示すように、ハンガー兼用衣類携帯用具のカバー３７には、携帯電話等の小物を入れるためのポケット３８、書類やノート等を入れるためのポケット３９を設けるようにしても良い。なお、ここではポケット３８、３９をカバー３７の外側に設ける例を示したが、ポケットはカバーの内側に設けられても良いし、カバーにポケットを覆うための覆いを設け、それでカバー外側に設けたポケットを覆うようにしても良い。またポケットの形状等も図５に示す限りではない。
【００４３】
〔第３の実施形態〕
次に、第３の実施形態として、本考案のハンガー兼用衣類携帯用具に係る衣類携帯用具本体の様々な形状について説明する。
【００４４】
図６は、本考案の第３の実施形態に係るハンガー兼用衣類携帯用具本体の様々な形状を示す模式図である。
ここまでは、図１に示すような直線状の把持部及びフック固定部と衣類保持部から成る衣類携帯用具本体を示してきたが、本考案のハンガー兼用衣類携帯用具はこれに限定されず、種々の形状を採用することができる。
【００４５】
例えば図６（ａ）に示すように、上に凸の丸みを帯びた把持部及びフック固定部４１Ａと、下に凸の丸みを帯びた衣類保持部４２Ａを備える衣類携帯用具本体４０Ａとしても良い。
【００４６】
また、図６（ｂ）に示すように、上に凸の丸みを帯びた把持部及びフック固定部４１Ｂと、上に凸の丸みを帯びた衣類保持部４２Ｂを備える衣類携帯用具本体４０Ｂとしても良い。
【００４７】
このように、把持部及びフック固定部に、上に凸の丸みを持たせることによって、ハンガーとして使用する際に衣類の肩部とより自然にフィットするようになり型崩れを防ぐことができる。
【００４８】
また、掛止爪の形状も、図６（ａ）に示すように単に立ち上がりを有する掛止爪４３Ａとしても良いし、図６（ｂ）に示すように衣類を挟持する形状を有する掛止爪４３Ｂとしても良い。
【００４９】
これらの衣類携帯用具本体はさらに、図１に示すように薄板状に形成されても良いが、例えば断面略正方形の角柱状としても良いし、円柱状としても良い。
【００５０】
図７に、本考案の第３の実施形態に係るハンガー兼用衣類携帯用具本体の断面円柱状の例を示す。
この図に示すように、断面円柱状の把持部及びフック固定部４５及び衣類保持部４６から成る衣類携帯用具本体４４とし、この把持部及びフック固定部４５から断面円柱状のハンガーアーム４７を引き出す構成としても良い。
【００５１】
〔第４の実施形態〕
次に、第４の実施形態として、本考案のハンガー兼用衣類携帯用具の把持部の様々な形状について説明する。
【００５２】
図８は、本考案の第４の実施形態に係るハンガー兼用衣類携帯用具の把持部の様々な形状を示す模式図である。
【００５３】
ここまでは、図１に示すようにチェーンで固定する把持部を示してきたが、本考案のハンガー兼用衣類携帯用具はこれに限定されず、種々の形状を採用することができる。
【００５４】
例えば図８（ａ）に示すように、把持部４８を柔軟性を有する素材から構成し、必要な時は引き出して使用し、不要な時は把持部及びフック固定部上に平らに収納する構成としても良い。
【００５５】
また、図８（ｂ）に示すように、把持部４９を衣類携帯用具本体と一体化させ、吊り下げ用フックもこの把持部４９に固定されるようにして、ハンガーとして使用する際にこの把持部４９が衣類の襟首、肩部に当たる構成としても良い。
【００５６】
さらに、図８（ｃ）に示すように、把持部５０を紐から構成しても良い。
【００５７】
また、図８（ｄ）に示すように、把持部５１を肩掛け用のショルダーベルトとしても良い。
【００５８】
このように、把持部の形状に自由度があるため、長時間携帯する際も持ちやすいハンガー兼用衣類携帯用具とすることができる。
【００５９】
上記のように構成したので、本考案のハンガー兼用衣類携帯用具によれば、衣類をコンパクトに収容し持ち運びを容易にすることができる。また、携帯しない際はハンガーとして使用し、衣類の皺、型崩れを防ぐことができる。
【００６０】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００６１】
本考案は、衣類をコンパクトに持ち運びできると共にハンガーとしても使用することができるハンガー兼用衣類携帯用具に関するものであり、産業上の利用可能性を有する。
【図面の簡単な説明】
【００６２】
【図１】本考案の第１の実施形態に係るハンガー兼用衣類携帯用具の全体構成を示す概略図である。
【図２】本考案の第１の実施形態に係るハンガー兼用衣類携帯用具の使用方法を説明するための模式図である。
【図３】本考案の第２の実施形態に係るハンガー兼用衣類携帯用具にカバーをかけた際の外観を示す模式図である。
【図４】本考案の第２の実施形態に係るハンガー兼用衣類携帯用具の様々なカバーの例を示す模式図である。
【図５】本考案の第２の実施形態に係るハンガー兼用衣類携帯用具のカバーにポケットを設ける際の外観を示す模式図である。
【図６】本考案の第３の実施形態に係るハンガー兼用衣類携帯用具本体の様々な形状を示す模式図である。
【図７】本考案の第３の実施形態に係るハンガー兼用衣類携帯用具本体の断面円柱状の例を示す模式図である。
【図８】本考案の第４の実施形態に係るハンガー兼用衣類携帯用具の把持部の様々な形状を示す模式図である。
【図９】従来のハンガー兼用衣類携帯用具を示す模式図である。
【符号の説明】
【００６３】
１、４０Ａ、４０Ｂ、４４    衣類携帯用具本体
２、４１Ａ、４１Ｂ、４５    把持部及びフック固定部
３、４２Ａ、４２Ｂ、４６    衣類保持部
４    側板
５、４３Ａ、４３Ｂ    掛止爪
６、４８、４９、５０、５１    把持部
７    吊り下げ用フック
８Ａ，８Ｂ    チェーン
９、４７    ハンガーアーム
１０    衣類
１１、２０、２３、２５、２９、３０、３２、３４、３７    カバー
１２、３１、３３    ファスナー
１３    把持部及びフック用開口
１４    ハンガーアーム用開口
２１、２７    止着部
２２    面ファスナー
２４、３６    紐
２６    開口
２８    スナップ
３５    クリップ
３８、３９    ポケット
【図１】
0003137009.tif 000003
【図２】
0003137009.tif 000004
【図３】
0003137009.tif 000005
【図４】
0003137009.tif 000006
【図５】
0003137009.tif 000007
【図６】
0003137009.tif 000008
【図７】
0003137009.tif 000009
【図８】
0003137009.tif 000010
【図９】
0003137009.tif 000011